【手続補正書】
【提出日】平成15年11月11日(2003.11.11)
【手続補正１】
【補正対象書類名】明細書
【補正対象項目名】発明の名称
【補正方法】変更
【補正の内容】
【発明の名称】情報記録装置及び方法、情報再生装置及び方法並びに情報記録媒体
【手続補正２】
【補正対象書類名】明細書
【補正対象項目名】特許請求の範囲
【補正方法】変更
【補正の内容】
【特許請求の範囲】
【請求項１】
複数のデータグループに区分された記録情報と、検索制御情報と再生表示制御情報とから構成される再生制御情報であって前記複数のデータグループの各々に含まれている再生制御情報と、が予め記録されている情報記録媒体から情報を再生する情報再生装置であって、
制御信号に基づいて前記情報記録媒体から読取られた情報を復調し復調信号を出力する復調手段と、
前記検索制御情報を抽出する検索制御情報抽出手段と、
前記再生表示制御情報を抽出する再生表示制御情報抽出手段と、
抽出された前記検索制御情報に基づいて前記制御信号を出力するとともに、抽出された前記再生表示制御情報に基づいて前記記録情報の再生表示制御を行う制御手段と、
を備えたことを特徴とする情報再生装置。
【請求項２】
前記検索情報抽出手段は、前記復調信号から前記検索制御情報を抽出し、前記制御手段へ出力することを特徴とする請求項１に記載の情報再生装置。
【請求項３】
前記再生表示制御情報抽出手段は、前記復調信号から前記再生表示制御情報を抽出すると共に、当該再生表示制御情報が前記制御手段へ出力されることを特徴とする請求項１に記載の情報再生装置。
【請求項４】
前記検索制御情報が抽出された前記復調信号を一時的に記憶するバッファ手段を更に備え、
前記再生表示制御情報抽出手段は、バッファ手段から出力された復調信号から前記再生表示制御情報を抽出することを特徴とする請求項１に記載の情報再生装置。
【請求項５】
前記記録情報は映像情報、オーディオ情報及び副映像情報から構成され、
前記バッファ手段から出力された復調信号は、前記映像情報、前記オーディオ情報、前記副映像情報及び前記再生表示制御情報を含み、
前記再生表示制御情報抽出手段は、前記再生表示制御情報を記憶する記憶手段へ出力することを特徴とする請求項４に記載の情報再生装置。
【請求項６】
前記再生表示制御情報抽出手段はデマルチプレクサであることを特徴とする請求項５に記載の情報再生装置。
【請求項７】
前記検索制御情報は、再生すべき前記記録情報の前記情報記録媒体上の記録位置を検索するための情報であることを特徴とする請求項１ないし６のいずれか１に記載の情報再生装置。
【請求項８】
前記再生表示制御情報は、前記記録情報の再生表示を制御するための情報であることを特徴とする請求項１ないし７のいずれか１に記載の情報再生装置。
【請求項９】
複数のデータグループに区分された記録情報と、検索制御情報と再生表示制御情報とから構成される再生制御情報であって前記複数のデータグループの各々に含まれている前記再生制御情報と、が予め記録されている情報記録媒体から情報を再生する情報再生方法であって、
制御信号に基づいて前記情報記録媒体から読取られ情報を復調し復調信号を出力する復調工程と、
前記検索制御情報を抽出する検索制御情報抽出工程と、
前記再生表示制御情報を抽出する再生表示制御情報抽出工程と、
抽出された前記検索制御情報に基づいて前記制御信号を出力するとともに、抽出された前記再生表示制御情報に基づいて前記記録情報の再生表示制御を行う制御工程と、
を備えたことを特徴とする情報再生方法。
【請求項１０】
前記検索情報抽出工程は、前記復調信号から前記検索制御情報を抽出することを特徴とする請求項９に記載の情報再生方法。
【請求項１１】
前記再生表示制御情報抽出工程は、前記復調信号から前記再生表示制御情報を抽出することを特徴とする請求項９に記載の情報再生方法。
【請求項１２】
前記検索制御情報が抽出された復調信号を一時的にバッファ手段に記憶する工程を、さらに含み、
前記再生表示制御情報抽出工程は、前記バッファ手段から出力された復調信号から前記再生表示制御情報を抽出することを特徴とする請求項９に記載の情報再生方法。
【請求項１３】
前記記録情報は映像情報、オーディオ情報及び副映像情報から構成され、
前記バッファ手段から出力された復調信号は、前記映像情報、前記オーディオ情報、前記副映像情報及び前記再生表示制御情報を含み、
前記再生表示制御情報抽出工程は、前記再生表示制御情報を記憶する記憶手段へ出力することを特徴とする請求項１２に記載の情報再生方法。
【請求項１４】
前記再生表示制御情報抽出工程はデマルチプレクサにより行われることを特徴とする請求項１３に記載の情報再生方法。
【請求項１５】
前記検索制御情報は、再生すべき前記記録情報の前記情報記録媒体上の記録位置を検索するための情報であることを特徴とする請求項９ないし１４のいずれか１に記載の情報再生方法。
【請求項１６】
前記再生表示制御情報は、前記記録情報の再生表示を制御するための情報であることを特徴とする請求項９ないし１５のいずれか１に記載の情報再生方法。
【請求項１７】
所定の信号処理が施された記録情報と、検索制御情報と再生表示制御情報とから構成される再生制御情報と、を出力する信号処理手段と、
前記記録情報並びに前記再生制御情報を多重して多重記録情報を出力する多重手段と、
前記多重記録情報を情報記録媒体に記録する記録手段と、を備え、
前記記録情報は複数のデータグループに区分され、前記複数のデータグループの各々が前記再生制御情報を含むように信号処理が行われ、
前記検索制御情報と前記再生表示制御情報とが異なるタイミングで抽出されるように、前記再生制御情報が前記検索制御情報と前記再生表示制御情報とに分割されて記録されることを特徴とする情報記録装置。
【請求項１８】
前記検索制御情報は、再生すべき前記記録情報の前記情報記録媒体上の記録位置を検索するための情報であることを特徴とする請求項１７に記載の情報記録装置。
【請求項１９】
前記再生表示制御情報は、前記記録情報の再生表示を制御するための情報であることを特徴とする請求項１７に記載の情報記録装置。
【請求項２０】
前記情報記録媒体は、マスタディスクであり、
前記マスタディスクを用いてレプリカディスクを製造する手段をさらに備えることを特徴とする請求項１７ないし１９のいずれか１に記載の情報記録装置。
【請求項２１】
請求項２０に記載の情報記録装置により製造されたレプリカディスク。
【請求項２２】
所定の信号処理が施された記録情報と、検索制御情報と再生表示制御情報とから構成される再生制御情報と、を出力する信号処理工程と、
前記記録情報並びに前記再生制御情報を多重して多重記録情報を出力する多重工程と、
前記多重記録情報を情報記録媒体に記録する記録工程と、を備え、
前記記録情報は複数のデータグループに区分され、前記複数のデータグループの各々が前記再生制御情報を含むように信号処理が行われ、
前記検索制御情報と前記再生表示制御情報とが異なるタイミングで抽出されるように、前記再生制御情報が前記検索制御情報と前記再生表示制御情報とに分割されて記録されることを特徴とする情報記録方法。
【請求項２３】
前記検索制御情報は、再生すべき前記記録情報の前記情報記録媒体上の記録位置を検索するための情報であることを特徴とする請求項２２に記載の情報記録方法。
【請求項２４】
前記再生表示制御情報は、前記記録情報の再生表示を制御するための情報であることを特徴とする請求項２２に記載の情報記録方法。
【請求項２５】
前記情報記録媒体は、マスタディスクであり、
前記マスタディスクを用いてレプリカディスクを製造する工程をさらに備えることを特徴とする請求項２２ないし２４のいずれか１に記載の情報記録方法。
【請求項２６】
請求項２５に記載の情報記録方法により製造されたレプリカディスク。
【請求項２７】
所定の信号処理が施された記録情報と、検索制御情報と再生表示制御情報とから構成される再生制御情報と、を出力する信号処理手段と、
前記記録情報並びに前記再生制御情報を多重して多重記録情報を出力する多重手段と、を備え、
前記記録情報は複数のデータグループに区分され、前記複数のデータグループの各々が前記再生制御情報を含むように信号処理が行われ、
前記検索制御情報と前記再生表示制御情報とが異なるタイミングで抽出されるように、前記再生制御情報が前記検索制御情報と前記再生表示制御情報とに分割されて出力されることを特徴とする情報処理装置。
【請求項２８】
前記検索制御情報は、再生すべき前記記録情報の前記情報記録媒体上の記録位置を検索するための情報であることを特徴とする請求項２７に記載の情報処理装置。
【請求項２９】
前記再生表示制御情報は、前記記録情報の再生表示を制御するための情報であることを特徴とする請求項２７に記載の情報処理装置。
【請求項３０】
所定の信号処理を施された記録情報と、検索制御情報と再生表示制御情報とから構成される再生制御情報と、を出力する信号処理工程と、
前記記録情報並びに前記再生制御情報を多重して多重記録情報を出力する多重工程と、を備え、
前記記録情報は複数のデータグループに区分され、前記複数のデータグループの各々が前記再生制御情報を含むように信号処理が行われ、
前記検索制御情報と前記再生表示制御情報とが異なるタイミングで抽出されるように、前記再生制御情報が前記検索制御情報と前記再生表示制御情報とに分割して出力されることを特徴とする情報処理方法。
【請求項３１】
前記検索制御情報は、再生すべき前記記録情報の前記情報記録媒体上の記録位置を検索するための情報であることを特徴とする請求項３０に記載の情報処理方法。
【請求項３２】
前記再生表示制御情報は、前記記録情報の再生表示を制御するための情報であることを特徴とする請求項３０に記載の情報処理方法。
【請求項３３】
記録情報と共に情報記録媒体に記録されている制御情報に基づいて、前記記録情報の再生を制御する再生装置によって再生される前記記録情報及び前記制御情報が記録されている情報記録媒体であって、
前記記録情報に対して所定の信号処理を施すことにより生成された処理記録情報と、
前記記録情報の再生時に、当該記録情報の前記情報記録媒体上の記録位置を検索するための検索制御情報及び前記記録情報の再生表示を制御するための再生表示制御情報に分割された前記制御情報とが多重された構造を備えることを特徴とする情報記録媒体。
【手続補正３】
【補正対象書類名】明細書
【補正対象項目名】００２６
【補正方法】変更
【補正の内容】
【００２６】
このとき、記録情報は複数のデータグループに区分され、複数のデータグループの各々が再生制御情報を含むように信号処理が行われ、検索制御情報と再生表示制御情報とが異なるタイミングで抽出されるように、再生制御情報が検索制御情報と再生表示制御情報とに分割されて出力される。
よって、出力された再生制御情報を情報記録媒体に記録することにより、再生制御情報が検索制御情報と再生表示制御情報とに分割されて記録されることとなるので、上記記録情報を情報記録媒体から再生する再生装置における再生時において、検索制御情報を抽出して記録情報の検索に使用すると共に、再生表示制御情報を抽出して記録情報の再生表示制御に使用することができる。
上記の課題を解決するために、請求項３３に記載の発明は、記録情報と共に情報記録媒体に記録されている制御情報に基づいて、前記記録情報の再生を制御する再生装置によって再生される前記記録情報及び前記制御情報が記録されている情報記録媒体であって、前記記録情報に対して所定の信号処理を施すことにより生成された処理記録情報と、前記記録情報の再生時に、当該記録情報の前記情報記録媒体上の記録位置を検索するための検索制御情報及び前記記録情報の再生表示を制御するための再生表示制御情報に分割された前記制御情報とが多重された構造を備える。